(57)【要約】【課題】  骨梁又は床スラブに取付けた取付金具と外壁材に取付けた取付金具との取付けの際、新たに取付ける外壁材に、既設の外壁材の側端と当接して取付け位置の調整を行う取付け位置調整部材を設けることにより、簡単な操作で取付け位置の調整を行い、取付け後の外壁パネルの横方向への動きを防止する。【解決手段】  建物躯体を構成する床スラブに取付けた床スラブ取付部材と外壁パネルに取付けた外壁パネル取付部材との取付構造において、該外壁パネル取付部材に設けた外壁パネルの横方向への取付位置調整部材を既設の外壁パネルの側部に当接して、外壁パネルの横方向へ動きを防止する【選択図】図７
2005090201.tif 000002
【特許請求の範囲】
【請求項１】
建物躯体を構成する骨梁又は床スラブに取付けた床スラブ取付部材と外壁パネルに取付けた外壁パネル取付部材との取付構造において、該外壁パネル取付部材に設けた外壁パネルの横方向への取付位置調整部材を既設の外壁パネルの側部に当接して、外壁パネルの横方向へ動きを防止することを特徴とする建物躯体へのパネル部材の取付構造。
【発明の詳細な説明】
【技術分野】
【０００１】  本発明は、カーテンウォール工法のように建物躯体の柱・梁材にパネル部材を取付ける際のパネル部材の取付け構造に関するものである。
【背景技術】
【０００２】  鉄筋・鉄骨コンクリートや鉄骨などにより建物の躯体となる柱や梁を構成し、これら柱や梁に適宜の取付手段により予め工場等で取付部材等を一体に取付けて製作した縦長のパネル部材を順次取付け（外壁材の取付けでは、パネル部材を順次横方向に並設し、この横方向に並設したパネル部材の上部にパネル部材の下部を載せて積み重ねる。）て外壁を構成して建築物を施工するカーテンウォール工法が多く行われている。この工法で使用される縦長のパネル部材は、予め工場で製作されているためパネル部材の均一した品質で美観性も良く、特に、この縦長のパネル部材を外壁材として用いる場合、耐候性、施工性・美観の点で高い評価を受けており、また、工場での製作時に取付枠、柱や梁への取付部材は予め取付けられており、開口部も予め作成されているために施工現場での施工性も良く、工期の短期化を図ることができる等の観点から、カーテンウォール工法が多く採用されている。【０００３】  構築された柱や梁にパネル部材を外壁材として取付けるカーテンウォール工法のパネル部材取付け構造を図１０〜１３により説明する。鉄筋・鉄骨コンクリートと鉄骨などの柱６０と梁６１とで建物の躯体となる骨組みを構成し、梁６１の上にデッキプレート床材６２を載置して床部を構成する。この梁６１にボルト等の取付手段によって外壁材６３を適宜の枚数取付けている（「非特許文献１」の記載参照）。【０００４】  また、外壁材の梁又は床スラブへの取付け手段として種々の取付け手段が提案されており、図１１の従来例により説明すると、外壁材となるＰＣ板６９は、鉄骨梁６４に取付けられるコンクリート平板であり、ファスナー７２がボルトによって固定されている。鉄骨梁６４は、上部フランジ６８とウェブと下部フランジとからなるＨ型鋼で、上部フランジ６８には、該ファスナー７２と対をなすピース７０が固定される。ウェブにはフラットデッキ受け材６７が取付けられ、このフラットデッキ受け材６７の上には、フラットデッキ６６が敷設される。床スラブコンクリート６５は、鉄骨梁６４のフラットデッキ受け材６７の上に敷設されたフラットデッキ６６の上に打設されるコンクリートスラブである。【０００５】  フラットデッキ６６は、鉄骨梁６４のフラットデッキ受け材６７の上に敷設されて、床スラブコンクリート６５が打設されるデッキプレートである。ファスナー７２は、ＰＣ板６９の取付け精度の確保や梁やスラブ等の構造物の変形等によって生じる応力の吸収の溜めに用いるＬ字型の取付金具であり、ＰＣ板６９にボルトによって固定される。また、ファスナー７２は穴部７３を有しており、この穴部７３に鉄骨梁６４に固定された受けピース７０のピン７１が貫通することによってＰＣ板６９を取付けている（「特許文献１」の記載参照）。【０００６】  上記「特許文献１」の鉄骨梁へのＰＣ板の取付けでは、ＰＣ板に取付けたファスナーの穴部と対応する位置に鉄骨梁の上部フランジに取付け用のピンを有するピースを固定し、このピースのピンに、ＰＣ板に取付けたファスナーの穴部を貫通して取付け固定している。しかしながら、施工現場では取付けに際して多少の取付け位置調整（上下・左右・奥行き方向の調整）を行う必要があるが、単に、ピー��のピンをＰＣ板に取付けたファスナーの穴部に貫通するだけでは取付け位置の調整を行うことができない。【０００７】  取付け位置調整を行うために鉄骨梁と外壁材のそれぞれに、互いに取付け調整可能としたＬ字型の取付金具７５とハット型の取付金具７６を取付け、この鉄骨梁又は床スラブに取付けるＬ字型の取付金具７５には、鉄骨梁への取付面と後述するハット型の取付金具７６のと接面部８２ｃと接面するの接面部８２ａに長孔８３を、更に、鉄骨梁と接面する接面部８２ｂに長孔８４をそれぞれ設けてあり、外壁材に取付けるハット型の取付金具７６は、上下に取付片７８、７８を有し、中央部に前記Ｌ字型の取付金具７５の接面部８２ａと接面する突出した接面部８２ｃを有し、この接面部８２ｃには前記Ｌ字型の取付金具７５の接面部８２ａに設けられた長孔８３と直交する長孔８０が設けられている（図１２、１３参照）。【０００８】  そして、鉄骨梁又は床スラブに図示しないボルトによりＬ字型の取付金具７５の長孔８４を通してＬ字型の取付金具７５を取付け、一方、図示しないボルトによりハット型の取付金具７６の上下の取付片７８、７８を取付けた外壁材を適宜の扛重装置により扛重して、該外壁材のハット型の取付金具７６を骨梁又は床スラブのＬ字型の取付金具７５に近接して、両者の前後・左右・上下の位置合わせをした後、ボルト８６をＬ字型の取付金具７５の長孔８３とハット型の取付金具７６の長孔８０とに挿通しナットとで両者を止める。【０００９】  しかしながら、鉄骨梁又は床スラブに取付けたＬ字型の取付金具７５と外壁材に取付けたハット型の取付金具７６とをボルトとナットによる摩擦力で締結しているだけでは、経年の使用で建物に地震や振動が加わった際にボルト・ナットの締めが緩んでくる恐れがある。すると、隣接する各外壁材同士の継ぎ目部に隙間を生じ、この部分から雨水が内部に侵入し、建物躯体の骨組み構成する柱や梁を腐蝕させることとなる。【００１０】  このため、ボルト・ナットでの締結だけでなく、付加の固定手段として、既設の外壁材の側端に新設の外壁材の側端を当接して横方向の取付け位置の調整を行った後、外壁材のハット型の取付金具７６と骨梁のＬ字型の取付金具７５とをボルトとナットで仮止めする。そして、ハット型の取付金具７６の接面部８２ｃに、Ｌ字型の取付金具７５の接面部８２ａに予め形成されている孔８５の位置に合わせて孔開け用のマーキングをする。【００１１】  そして、この孔開け用のマーキングをした後、この仮止めを一度外し、前記ハット型の取付金具７６の接面部８２ｃの孔開け用にマーキングをした個所を溶接機によって施工の現場で孔開け作業をする。そして再度、骨梁又は床スラブのＬ字型の取付金具７５と外壁材のハット型の取付金具７６との前後・左右・上下の位置合わせをした後にボルト８６とナットで締結すると共に、Ｌ字型の取付金具７５の孔８５とハット型の取付金具７６に溶接機によって形成した孔とにボルト８７を挿通してボルト・ナットで締結する。【００１２】  このように、骨梁のＬ字型の取付金具７５と外壁材のハット型の取付金具７６とのボルト・ナットによる仮止め作業、施工の現場で孔開けのためのマーキング作業、仮止めを解除した後の取付金具への孔��け作業、再度の位置合わせ作業とボルト・ナットによる締結作業、及び孔開け孔とのボルト・ナットによる締結作業と多くの作業工程を要している。また、孔開け作業をする取付金具は、外壁材を取付けるに耐え得る厚みを有しているため、特に、この施工現場での孔開け作業は、多くの時間と労力を要する大変な作業となっている。
【特許文献１】特開２０００−３５２１３７号公報
【非特許文献１】社団法人日本建築学会、「構造用教材」（改訂第１版）、株式会社  技報堂、第８８頁、
【発明の開示】
【発明が解決しようとする課題】
【００１３】  本発明では、骨梁又は床スラブに取付けた取付金具と外壁材に取付けた取付金具との取付作業において、新たに骨梁又は床スラブに取付ける外壁材に、既設の外壁材の側端又は外壁パネルに取付けた外壁パネル取付金具の側部に当接して取付け位置の調整を行うボルト等の取付け位置調整部材を設けることにより、施工現場での溶接機等を使用した孔開け作業を行うことなく、取付け位置の調整を簡単に行うと共に、外壁パネルの横方向の動きの防止と確実な取付けをすることを目的とするものである。
【課題を解決するための手段】
【００１４】  上記目的を達成するため、本発明の請求項１に記載の発明は、建物躯体を構成する骨梁又は床スラブに取付けた床スラブ取付部材と外壁パネルに取付けた外壁パネル取付部材との取付構造において、該外壁パネル取付部材に設けた外壁パネルの横方向への取付位置調整部材を既設の外壁パネルの側部に当接して、外壁パネルの横方向へ動きを防止することを特徴とするものである。
【発明の効果】
【００１５】  本発明は、建物躯体を構成する骨梁又は床スラブに取付けた床スラブ取付部材と外壁パネルに取付けた外壁パネル取付部材との取付構造において、該外壁パネル取付部材に設けた外壁パネルの横方向への取付位置調整部材を簡単な操作で、該取付位置調整部材の一端を既設の外壁パネルの側端に当接させることにより簡単に外壁パネルの横方向の取付け位置の調整を行うことができ、取付け後の外壁パネルの横方向の動きを防止することができる。また、従前のように、施工現場で取付金具に溶接機等による孔開け作業を不要とすることができる。
【発明を実施するための最良の形態】
【００１６】  建物躯体を構成する梁又は床スラブに取付けた外壁パネルの横方向の動きの防止と確実な取付けをすることを目的を、施工現場での孔開け作業といった多くの時間と労力を要する作業を、外壁パネルに横方向の取付け位置調整部材を設けることで実現した。
【実施例】
【００１７】  本発明の実施の態様を図１〜９によって説明する。図１は、建物躯体への外壁パネルの取付け状態を示す概観図で、図２は、本発明の建物躯体への外壁パネルの取付構造の水平断面図で、図３は、本発明の建物躯体への外壁パネルの取付構造の取付金具の斜視図て、図４は、本発明の建物躯体への外壁パネルの取付構造の取付金具の組立側面図で、図５は、図４で外壁パネル側に取付ける取付金具に取付位置調整ボルトを装着した組立側面図で、図６は、図３で外壁パネル側に取付ける取付金具に取付位置調整ボルトを装着した取付金具の斜視図で、図７は、本発明の建物躯体への外壁パネルの取付構造の部分拡大水平断面図で、図８は、本発明の建物躯体への外壁パネルの取付構造の縦断面図で、図９は、本発明の建物躯体への外壁パネルの取付構造の部分拡大縦断面図である。【００１８】  図１には、建物躯体を構成する柱部材と梁部材に本発明の外壁パネルの取付部材により外壁パネル１が取付けられた概観が示されており、壁部２と開口部３とを有する外壁パネル１は、隣接する外壁パネル１および上下の外壁パネル１と互いの側部及び上下部を接して前記梁部材又は床スラブに取付けた取付部材と外壁パネル１取付けた取付部材とによって横方向及び上下方向に多数並設されて取付けられる。【００１９】  符号５は床スラブで、建物躯体を構成する梁部材上にデッキプレート床材を載置して構成されている。この床スラブ５には、Ｌ字型の床スラブ取付金具６がボルト１０により建物躯体を構成する床スラブ５及び梁部材に所要数取付けられている。一方、外壁パネル１の上部には一対の外壁パネル取付金具７、７がボルト等の固定手段によって取付けられている。そして、床スラブ５及び梁部材に取付けられているＬ字型の床スラブ取付金具６と外壁パネル１の上部に取付けられている外壁パネル取付金具７とを当接しボルトで取付ける。なお、符号１ａ、１ｂは横方向に並設されて隣接する外壁パネル、符号４は外壁パネルの方立である。【００２０】  次に、床スラブ５に取付けるＬ字型の床スラブ取付金具６、及び外壁パネル１に取付ける外壁パネル取付金具７について説明する。Ｌ字型の床スラブ取付金具６は、床スラブ５に取付け部６ａと外壁パネル取付金具７と当接する立上り部６ｂの断面Ｌ字型をしており、取付け部６ａと立上り部６ｂとには、それぞれ長孔１５、１４が設けられている。外壁パネル取付金具７は、断面形状が略５の字状形で、横方向への取付け位置調整ボルト用取付け溝１６と高さ調整ボルト用孔１７とを有する上部と、中央部に取付けボルト用孔１８を有する当接部１９と、該取付け位置調整ボルト用取付け溝１６と高さ調整ボルト用孔１７を有する上部と該中央部の当接部１９との間と、該中央部の当接部１９の下部とに外壁パネル取付金具７を外壁パネル１に取付けるための取付け孔２０、２０を有している。【００２１】  上記構成を有するＬ字型の床スラブ取付金具６と外壁パネル取付金具７とは、Ｌ字型の床スラブ取付金具の長孔１４と外壁パネル取付金具７の中央部の当接部１９の取付けボルト用孔１８とに取付けボルト９とナット２５とで締結される。この際、外壁パネル取付金具７の上部に設けた高さ調整ボルト用孔１７に高さ調整ボルト１２を螺��、該高さ調整ボルト１２を回動して上下動操作をして、該高さ調整ボルト１２の下端をＬ字型の床スラブ取付金具６の長孔１４を有する立上り部６ｂの上端の当接部２４に当接することにより、床スラブ５に取付けられたＬ字型の床スラブ取付金具６に対して外壁パネル１に取付けられた外壁パネル取付金具７の上下方向の高さ調整が可能となっている。なお、ナット２１と２２は、高さ調整ボルト１２の締結固定用のナットである。また、図５及び図６には、外壁パネル取付金具７の上部の取付け位置調整ボルト用取付け溝１６に横方向の取付位置を調整する取付け位置調整ボルト１１を装着したものが示されている。【００２２】  次に、床スラブ５にボルト１０で取付けられたＬ字型の床スラブ取付金具６に取付けられている既設の外壁パネル１ａに隣接して次の外壁パネル取付金具７を取付けた外壁パネル１を取付ける際の取付調整について説明する。各外壁パネル１には、裏面の上部に取付けボルト８、８で一対の外壁パネル取付金具７、７が取付けられており、また、床スラブ５には、外壁パネル１の裏面の上部に取付けられている一対の外壁パネル取付金具７、７の取付間隔と同寸法でＬ字型の床スラブ取付金具６、６が取付けられている。【００２３】  まず、一番端に設置される外壁パネル１ａは、適宜の扛重装置で扛重されて床スラブ５に取付けられたＬ字型の床スラブ取付金具６、６に外壁パネル１ａの裏面に取付けた外壁パネル取付金具７を当接し、床スラブ５に取付けたＬ字型の床スラブ取付金具６の長孔１４と外壁パネル１の裏面に取付けた外壁パネル取付金具７の当接部１９の取付けボルト用孔１８とに取付けボルト９を挿通すると共に仮止めする。【００２４】  この仮止めの後に、外壁パネル取付金具７の上部に設けた高さ調整ボルト１２を回動し、高さ調整ボルト１２の下端をＬ字型の床スラブ取付金具６の当接部２４に当接し、床スラブ５に対して外壁パネル１ａの取付け高さを調整して設置する。このとき、端に位置する外壁パネル１ａの横方向の取付け位置調整は、建物躯体を構成する端の柱部材の張出し材に外壁パネル１ａの側部を当接する。外壁パネル１ａの取付け高さの調整と横方向の取付け位置の調整が終わり次第、外壁パネル１ａの裏面の外壁パネル取付金具７と床スラブ５のＬ字型の床スラブ取付金具６とを取付けボルト９を本締めし締結固定する。そして、この端部に設置される外壁パネルを基準として次の外壁パネル１を設置作業を行う。【００２５】  次に、この既設の外壁パネル１ａに隣接して並設するため、前述の作業工程と同様に、次の外壁パネル１を適宜の扛重装置により扛重して、外壁パネル１を既設の外壁パネル１ａに接近させ、前述の外壁パネル１ａと同様、外壁パネル１の裏面の上部に取付けられている一対の外壁パネル取付金具７を床スラブ５に取付けられたＬ字型の床スラブ取付金具６に当接し、床スラブ５に取付けたＬ字型の床スラブ取付金具６の長孔１４と外壁パネル１の裏面に取付けた外壁パネル取付金具７の当接部１９の取付けボルト用孔１８とに取付けボルト９を挿通すると共に仮止めする。この仮止めの後に、外壁パネル取付金具７の上部に設けた高さ調整ボルト１２を回動し、高さ調整ボルト１２の下端をＬ字型の床スラブ取付金具６の当接部２４に当接し、床スラブ５に対して外壁パネル１の取付け高さを調整して設置する。【００２６】  そして、外壁パネル１を既設の外壁パネル１ａに対して横方向の取付け位置調整するため、外壁パネル取付金具７の上部の取付け位置調整ボルト用取付け溝１６に取付け位置調整ボルト１１が設けられている。床スラブ５に対して外壁パネル１の取付け高さを調整した後、横方向の取付け位置調整のために、この取付け位置調整ボルト１１を回動操作をして取付け位置調整ボルト１１の一端を既設の外壁パネル１ａの側部又は外壁パネル１ａに取付けた外壁パネル取付金具７の側部に当接して横方向の取付け位置の調整を行い、その後、ナット２６、２６により取付け位置調整ボルト１１を締結固定して回動・緩み防止をする。その後、前述の作業工程と同様、外壁パネル１の取付け高さの調整と横方向の取付け位置の調整が終わり次第、外壁パネル１の裏面の外壁パネル取付金具７と床スラブ５のＬ字型の床スラブ取付金具６とを取付けボルト９を本締めし締結固定する。そして、この端部に設置される外壁パネル１を基準として次の外壁パネルの設置作業を順次繰り返して建物躯体に外壁パネルを設置する。【００２７】  上述したように、カーテンウォール工法で建物躯体の柱・梁材にパネル部材を取付ける際、本発明の建物躯体への外壁パネルの取付けでは、床スラブに取付けたＬ字型の床スラブ取付金具に外壁パネルの裏面上部に取付けた外壁パネル取付金具を当接し、高さ位置調整ボルトと横方向の取付け位置調整ボルトとを外壁パネルの取付金具に設け、該高さ位置調整ボルトを回動操作により高さ位置調整ボルトの一端をＬ字型の床スラブ取付金具に当接することにより取付けの高さ位置の調整を簡単に行うと共に、該横方向の取付け位置調整ボルトを回動操作により横方向の取付け位置調整ボルト一端を既設の外壁パネルの側部又は既設の外壁パネルに設けた外壁パネル取付金具の側部に当接することにより横方向の取付け位置の調整を簡単に行うことができる。なお、このように順次並設して取付けられる外壁パネルのうち、端部に位置する外壁パネルには、横方向の取付け位置調整ボルトは両側がわに２個付いているが、中位に位置する外壁パネルおよび他端に位置する外壁パネルには１個付いていればよい。【００２８】  特に、予め外壁パネル取付金具に設けた横方向の取付け位置調整ボルトの回動操作により横方向の取付け位置の調整を行うことができるので、従来技術のように施工現場で取付金具に対する孔開け作業を不要とし、簡単な回動操作で外壁パネルの横方向の取付け位置の調整をし、外壁パネルの横方向の動きの防止と確実な取付けをする。
【図面の簡単な説明】
【００２９】
【図１】建物躯体への外壁パネルの取付け状態を示す概観図。
【図２】本発明の建物躯体への外壁パネルの取付構造の水平断面図。
【図３】本発明の建物躯体への外壁パネルの取付構造の取付金具の斜視図。
【図４】本発明の建物躯体への外壁パネルの取付構造の取付金具の組立側面図。
【図５】図４で外壁パネル側に取付ける取付金具に取付位置調整ボルトを装着した組立側面図。
【図６】図３で外壁パネル側に取付ける取付金具に取付位置調整ボルトを装着した取付金具の斜視図。
【図７】本発明の建物躯体への外壁パネルの取付構造の部分拡大水平断面図。
【図８】本発明の建物躯体への外壁パネルの取付構造の縦断面図。
【図９】本発明の建物躯体への外壁パネルの取付構造の部分拡大縦断面図。
【図１０】建物躯体へのパネル部材の取付け状態を示す概観図。
【図１１】建物躯体へのパネル部材の取付構造を示す図。
【図１２】従来例の建物躯体へのパネル部材の取付構造の取付金具の斜視図。
【図１３】図１２の取付金具の組立側面図。
【符号の説明】
【００３０】１  外壁パネル、２  壁部、３  開口部、４  方立、５  床スラブ、
６  床スラブ取付金具、７  外壁パネル取付金具、
７ａ  外壁パネル取付金具の側部、８  取付けボルト、９  取付けボルト、
１０  取付けボルト、１１  取付け位置調整ボルト、１２  高さ調整ボルト、
１３ａ  上位外壁パネル、１３ｂ  下位外壁パネル、１４  長孔、１５  長孔、
１６  取付け位置調整ボルト用取付け溝、１７  高さ調整ボルト用孔、
１８  取付けボルト用孔、１９  当接部、２０  取付け孔、２１  ナット、
２２  ナット、２４  当接部、２５  ナット、２６  ナット。
【図１】
2005090201.tif 000003
【図２】
2005090201.tif 000004
【図３】
2005090201.tif 000005
【図４】
2005090201.tif 000006
【図５】
2005090201.tif 000007
【図６】
2005090201.tif 000008
【図７】
2005090201.tif 000009
【図８】
2005090201.tif 000010
【図９】
2005090201.tif 000011
【図１０】
2005090201.tif 000012
【図１１】
2005090201.tif 000013
【図１２】
2005090201.tif 000014
【図１３】
2005090201.tif 000015